(57)【要約】      （修正有）【課題】支柱のような縦材に対して格子のような横材を簡単かつ確実に組付け施工することができる取付部品。【解決手段】取付部品は、固定ネジ１と、固定ネジ１の軸部先端側に螺合する回転ネジ持ち２と、固定ネジ１の頭部と回転ネジ持ち２との間に設けられた弾性部材とを備える。弾性部材は板バネ３によって構成し、上記回転ネジ持ち２の裏面にはネジ穴４の周囲には環状突起を形成し、この環状突起に上記板バネ３の中央部３ａを回動自在に取り付け、板バネ３の両側部は上記中央部３ａに対して鋭角に屈曲されてネジ頭部１ａ側に突出させるのが好ましい。【選択図】図２
2010196856.tif 000002
【特許請求の範囲】
【請求項１】
固定ネジと、固定ネジの軸部先端側に螺合する回転ネジ持ちと、固定ネジの頭部と回転ネジ持ちとの間に設けられた弾性部材とを備えたことを特徴とする取付部品。
【請求項２】
上記弾性部材は板バネによって構成されているとともに、上記回転ネジ持ちの裏面にはネジ穴の周囲に環状突起が形成され、この環状突起に上記板バネの中央部が回動自在に取り付けられ、かつ上記板バネの両側部は上記中央部に対して鋭角に屈曲されてネジ頭部側に突出したことを特徴とする、請求項１に記載の取付部品。
【請求項３】
上記板バネの両側部の先端部には凹欠部が形成され、該凹欠部の両側の先端は折り曲げられていることを特徴とする、請求項２に記載の取付部品。
【請求項４】
設置面に立設された縦材に、請求項１又は２に記載の取付部品を介して、裏面の長手方向に沿ってアリ溝状の溝部を備えた横材を取付けた構造体であって、上記縦材の一側から他側に貫通させた固定ネジの端部を突出させ、該端部に螺合した上記回転ネジ持ちと上記弾性部材とを上記横材の溝部内に収納して固定したことを特徴とする取付部品による縦横材の組付け構造体。
【請求項５】
設置面に立設された複数の縦材に、請求項1又は２に記載の取付部品を介して、裏面の長手方向に沿ってアリ溝状の溝部を有した横材を取付けるに当たり、上記固定ネジを上記縦材の一側から他側に貫通させ、固定ネジの端部に上記弾性部材付き回転ネジ持ちを螺合して上記縦材の他側から回転ネジ持ちを水平状態にして突出させ、突出した上記弾性部材付き回転ネジ持ちに上記横材の溝部を係合させて仮止め状態とし、その後、上記固定ネジを締めこむとともに上記回転ネジ持ちを共回りさせて上記溝部の内側に係合させて組み付けることを特徴とする、縦横材の組付け方法。
【発明の詳細な説明】
【技術分野】
【０００１】
本発明は、複数の支柱に格子を取付ける場合のように、縦材と横材とを取付けるのに適する特殊な取付部品と、この取付部品を介して縦材に横材を組み付けた構造体と、上記取付部品を介して縦材に横材を組み付ける組付け方法に関する。
【背景技術】
【０００２】
例えば、支柱に格子（横格子）を組み付ける場合、従来は特許文献1の記載から理解できるように、固定ネジを支柱の一側から他側に貫通させ、固定ネジの端部に矩形の回転ネジ持ちを螺合し、この回転ネジ持ちを水平状態にして支柱から突出させておき、同様に格子も水平状態にして支柱に押し付け、突出した回転ネジ持ちを格子の長手方向に形成された溝部内に収納させて格子が固定ネジに対して抜けないように係合させる。このようにして格子を支柱に仮止めした後、固定ネジを締めこむとともに、上記回転ネジ持ちを回転させて格子を支柱に組み付け固定するようになっている。
【先行技術文献】
【特許文献】
【０００３】
【特許文献１】特開昭６０−１６８８７８号公報
【発明の概要】
【発明が解決しようとする課題】
【０００４】
しかしながら、上述のような組つけの方式によれば、格子の傾きと固定ネジの回転ネジ持ちの角度とをほぼ一致させなければならない。例えば、支柱から突出した回転ネジ持ちを水平にしておき、格子を水平にした状態にして支柱に押し付け、その溝部に回転ネジ持ちが収納されるようにしなければならない。そうしないと、格子を支柱側に押し付けたとき、格子の背面が回転ネジ持ちにぶつかって回転ネジ持ちを支柱の側面に接触するまで押し込めてしまい、その溝部に回転ネジ持ちがうまく収納されず、固定ネジに格子を引っ掛けて仮止めすることができないからである。仮止めすることができなと、固定ネジを締めこむこともできない。したがって、従来は支柱に対して格子を組付け施工するのは面倒であった。
【０００５】
本発明は上記問題点を解消し、支柱のような縦材に対して格子のような横材を簡単かつ確実に組付け施工することができる取付部品と、この取付部品を介して縦材に横材を組み付けた構造体と、上記取付部品を介して縦材に横材を組み付ける組付け方法を提供することをその課題とする。
【課題を解決するための手段】
【０００６】
上記課題を解決するため、請求項1に係る発明は、固定ネジと、固定ネジの軸部先端側に螺合する回転ネジ持ちと、固定ネジの頭部と回転ネジ持ちとの間に設けられた弾性部材とを備えたことを特徴とする。
【０００７】
請求項２に係る発明は、請求項１において、上記弾性部材は板バネによって構成されているとともに、上記回転ネジ持ちの裏面にはネジ穴の周囲に環状突起が形成され、この環状突起に上記板バネの中央部が回動自在に取り付けられ、かつ上記板バネの両側部は上記中央部に対して鋭角に屈曲されてネジ頭部側に突出したことを特徴とする。
【０００８】
請求項３に係る発明は、請求項２において、上記板バネの両側部の先端部には凹欠部が形成され、該凹欠部の両側の先端は折り曲げられていることを特徴とする。
【０００９】
請求項４に係る発明は、設置面に立設された縦材に、請求項1又は２に記載の取付部品を介して、裏面の長手方向に沿ってアリ溝状の溝部を備えた横材を取付けた構造体であって、上記縦材の一側から他側に貫通させた固定ネジの端部を突出させ、該端部に螺合した上記弾性部材付き回転ネジ持ちを上記横材の溝部内に収納して固定したことを特徴とする。
【００１０】
請求項５に係る発明は、設置面に立設された複数の縦材に、請求項1又は２に記載の取付部品を介して、裏面の長手方向に沿ってアリ溝状の溝部を有した横材を取付けるに当たり、上記固定ネジを上記縦材の一側から他側に貫通させ、固定ネジの端部に上記弾性部材付き回転ネジ持ちを螺合して上記縦材の他側から回転ネジ持ちを水平状態にして突出させ、突出した上記弾性部材付き回転ネジ持ちに上記横材の溝部を係合させて仮止め状態とし、その後、上記固定ネジを締めこむとともに上記回転ネジ持ちを共回りさせて上記溝部の内側に係合させて組み付けることを特徴とする。
【発明の効果】
【００１１】
請求項１に係る発明によれば、取付部品は、固定ネジと、固定ネジの軸部先端側に螺合する回転ネジ持ちと、固定ネジの頭部と回転ネジ持ちとの間に設けられた弾性部材とを備えたものであるから、２つの部材を固定する場合、固定ネジを一方の部材に貫通させたとき、回転ネジ持ちと上記部材との間に弾性部材が配置されるので、弾性部材の弾性により回転ネジ持ちは上記部材から離反するように付勢される。したがって、上記一方の部材に他方の部材を組み付ける際に、他方の部材が軸端や回転ネジ持ちに当ったために固定ネジが抜け方向に押し返されてしまうことがあっても、押し付け力が解除されたときに、回転ネジ持ちは固定ネジとともに元の位置に押し戻されるか、あるいは押し付ける力に負けない。このため、上記回転ネジ持ちを利用して組み付ける場合に他方の部材の組み付け作業が容易となる。
【００１２】
また、上記他方の部材の溝部に回転ネジ持ちを入れ込んだ後、固定ネジを回動させて締めこんだときに共回りして溝部に抜け出し不可能に嵌め込まれる。このとき、回転ネジ持ちは略平行四辺形状に形成されているから、共回り時に９０度回転しなくても溝部内に深く収まるので、取付強度が安定する。
【００１３】
請求項２に係る発明によれば、上記弾性部材は板バネによって構成されているとともに、上記回転ネジ持ちの裏面にはネジ穴の周囲に環状突起が形成され、この環状突起に上記板バネの中央部を回動自在に取り付けられているから、板バネは固定ネジの軸部上を自由に移動することはない。したがって、部材の組付け作業を安定、円滑に行うことができる。また、板バネの両側部は上記中央部に対して鋭角に屈曲されてネジ頭部側に突出させているから、部材の押し付けに対する反力を有効に作用させることができる。
【００１４】
請求項３に係る発明によれば、上記板バネの両側部の先端部には凹欠部が形成されているから、板バネの両側部が折り畳まれたときに凹欠部によって固定ネジが干渉することがないとともに、凹欠部の両側の先端は折り曲げられているので、安全に取り扱うことができる。
【００１５】
請求項４に係る発明によれば、設置面に立設された縦材に、請求項1又は２に記載の取付部品を介して、裏面の長手方向に沿ってアリ溝状の溝部を有した横材を取付けた構造体であって、この構造体は、上記縦材の一側から他側に貫通させた固定ネジの端部を突出させ、該端部に螺合した上記弾性部材付き回転ネジ持ちを上記横材の溝部内に収納して固定したものであるから、縦材に固定ネジを貫通させ、回転ネジ持ちを縦材から突出させた状態で横材を縦材に押し付けてその溝部内に回転ネジ持ちを飲み込ませる場合、横材が固定ネジの軸端や回転ネジ持ちに当って固定ネジが抜け方向に押し返されてしまうことがあっても、押し付け力が解除されたときに、回転ネジ持ちは固定ネジとともに元の位置に押し戻される。したがって、横材の溝部に回転ネジ持ちを飲み込ませる作業を何度でも繰り返して行うことができ、回転ネジ持ちを利用して組み付ける場合に他方の部材の組み付け作業が容易となる。
【００１６】
請求項５に係る発明によれば、設置面に立設された複数の縦材に、請求項1又は２に記載の取付部品を介して、裏面の長手方向に沿ってアリ溝状の溝部を有した横材を取付けるに当たり、上記固定ネジを上記縦材の一側から他側に貫通させ、固定ネジの端部に上記弾性部材付き回転ネジ持ちを螺合して上記縦材の他側から回転ネジ持ちを水平状態にして突出させ、突出した上記弾性部材付き回転ネジ持ちに上記横材の溝部を係合させて仮止め状態とし、その後、上記固定ネジを締めこむとともに上記回転ネジ持ちを共回りさせて上記溝部の内側に係合させて組み付けるから、縦横材の組付け作業を容易に行うことができる。
【図面の簡単な説明】
【００１７】
【図１】本発明に係る取付金具の側面図
【図２】上記取付金具の分解斜視図
【図３】上記取付金具によって組み立てたフェンスの正面図
【図４】上記フェンスの側面の一部拡大図
【図５】上記フェンスの平面の一部拡大図
【図６】図５の一部拡大図
【図７】（ａ）（ｂ）は格子の取付態様説明図
【図８】回転ネジ持ちの取付態様説明図
【図９】両面納まりの格子の取付態様説明図
【図１０】両面納まりの格子の取付完成状態説明図
【図１１】取付部品の斜視図
【図１２】表裏の格子の連結態様を示す拡大平面図
【図１３】他の格子の納まりの形態を示す側面の一部拡大図
【図１４】さらに他の格子の納まりの形態を示す側面の一部拡大図
【図１５】クロス格子の正面図
【図１６】クロス格子の側面の一部拡大断面図
【図１７】クロス格子の平面図
【発明を実施するための形態】
【００１８】
図１及び図２は本発明に係る取付部品を示す。この取付部品Ａは縦材と横材とを組付けるのに好適な金具で、固定ネジ１と、固定ネジ１の軸部先端側に螺合する回転ネジ持ち２と板バネ（弾性部材）３とから構成されている。
【００１９】
固定ネジ１はネジ頭部１ａとネジ軸部１ｂとから構成される通常のネジである。
【００２０】
回転ネジ持ち２は金属材から略平行四辺形状に形成され、中央部にはネジ穴４が形成されている。なお、ネジ穴４はバーリング加工した部分にネジ溝を形成することにより形成され、背面側には環状凸部５が突出形成されている。
【００２１】
板バネ３は中央部３ａとその両側部６、６とから構成され、中央部３ａには穴が形成され、両側部６、６は中央部３ａに対して鋭角に屈曲形成されている。両側部６、６の先端には円弧状の凹欠部７が形成されている。両側部６、６が折り畳まれて重なり合ったとき、両凹欠部７の内側には円形が形成されるようになっている。そして、板バネ３の中央部３ａの穴９は回転ネジ持ち２の環状凸部５に回動自在に嵌合している。なお、環状凸部５の表面の一部は潰されて外方に広がり、板バネ３の抜け止めとなっている。
【００２２】
固定ネジ１を回転ネジ持ち２のネジ穴４に対し、両側部６、６がネジ頭部１ａ側に突出するように螺合させる。
【００２３】
次に、上記取付部品Ａを用いてアルミニウムの押出形材から形成された支柱（縦材）に同様の押出形材から形成された格子（横材）を組み付ける組付け方法とこの組付け方法によって構成された構造体をフェンスの例について説明する。
【００２４】
図３において符号１０は支柱であり、１１はフェンス用格子である。格子１１は支柱１０の一側にのみ設けられた片面納まりとなっている。
【００２５】
図4及び図５に示すように、支柱１０の格子取付部には、その正面側から背面側に固定ネジ１を貫通させる貫通孔１２が形成されている。
【００２６】
格子１１の裏面には、その長手方向に沿って溝部１３が形成されている。この溝部１３はアリ溝状で、開口部よりも内側が幅広に形成されている。
【００２７】
上記支柱１０の正面側から背面側に固定ネジ１が貫通され、背面から突出した固定ネジ１の先端側には回転ネジ持ち２が螺合している。回転ネジ持ち２は溝部１３の内側に収納され、両端は溝部１３の開口縁の裏側に係合している。また、固定ネジ１が締めこまれることにより、図６に示されるように、板バネ３の両側部６、６は屈曲部１４のバネ力に抗して折り畳まれ、支柱１０の背面に当接している。
【００２８】
なお、取付部品Ａの回転ネジ持ち２の幅は格子１１の溝部１３の開口幅よりも小さく形成され、また回転ネジ持ち２の長さは溝部１３の開口幅よりも大きく、溝部１３の内側の幅よりも長くなるように形成されている。
【００２９】
次に、上記取付部品Ａを用いて上記支柱１０に上記格子１１を組み付ける場合の組付け方法を図７（ａ）（ｂ）に基づいて説明する。
【００３０】
まず、設置面に複数の支柱１０が立設され、これらの支柱１０の所定位置に形成された貫通孔１２に、取付部品Ａの固定ネジ１を貫通させ、背面から突出した固定ネジ１の先端側に板バネ付きの回転ネジ持ち２を螺合させる。このとき、回転ネジ持ち２をほぼ水平状態にしておく。板バネ３の両側部６、６の先端は支柱１０の背面に当たるため、そのバネ力により、固定ネジ１は常に支柱１０の背面側から突出するように付勢されて保持される。
【００３１】
次に、格子１１を水平状態にして支柱１０に押し付けるようにして、その溝部１３に支柱１０から突出した回転ネジ持ち２を飲み込ませて収納させ、溝部１３に係合させる。これにより、格子１１は支柱１０の所定位置に仮止め状態となる。Ｚ
なお、上述のように格子１１を支柱１０側に押し付けたとき、格子１１の裏面が回転ネジ持ち２にぶつかって回転ネジ持ち２を支柱１０側に押し付けてしまい、固定ネジ１が抜け方向に押し返されてしまうようなことがあっても、格子１１を支柱１０から離反させて押し付け力を解除すると、板バネ３の反力によって固定ネジ１は再びその先端が背面側に突出するように押し戻される。したがって、作業者は何度でも成功するまで格子１１の溝部１３に支柱１０から突出した回転ネジ持ち２を飲み込ませて収納させる作業を進めることができる。
【００３２】
格子１１の他の部位も同様にして他の支柱１０に固定ネジ１を本締めして固定すればよい。固定ネジ１を回転させて締めこむほど、ネジ軸部１ｂと回転ネジ持ち２との接触摩擦が大きくなるので、最終的には図８のように回転ネジ持ち２も固定ネジ１と共回りする。ところが、回転ネジ持ち２の長さは溝部１３の内側の幅よりも長いから、回転ネジ持ち２は溝部１３の上下の内面に係合し、それ以上は回転できない。したがって、固定ネジ１のみが締めこまれる。それにしたがって、板バネ３も支柱１０側に押し込まれるから、両側部６、６は図６のように折畳み状態となる。両側部６、６の先端部には凹欠部７が形成されているから、板バネ３の両側部６、６が折り畳まれたときに凹欠部７に固定ネジ１が干渉することはない。また、回転ネジ持ち２は略平行四辺形状に形成されているから、共回りするときに９０度回転しなくても溝部１３の内側に深く飲み込まれた状態で係合することができ、作業を迅速かつ効率的に行うことができる。なお、本締め終了後、板バネ３の両側部６、６は小さく折り畳まれるが、その弾性による反力は効いているので、板バネ３が緩むのを防止する効果がある。また、凹欠部７の両側の先端６ａ、６ａは折り曲げられているので、安全に取り扱うことができる。
【００３３】
なお、格子１１は上述のような片面納まりに限定されない。図９及び図１０のように、支柱１０の互いに反対側の面に格子１１ａ、１１ｂを取付ける両面納まりとしてもよい。この場合、一方の格子１１ａは上述の要領で取付ければよい。他方の格子１１ｂを取付けるときは、固定ネジ１の頭部１ａで図１１に示す取付部品Ｂを固定する。この取付部品Ｂは、細長の中央片１５の短辺側の両端を略直角に屈曲させ、中央片１５の長辺側に上記屈曲片１６と反対向きに４個の係止片１７を設けてなるもので、係止片１７の表側には突部１８が形成されている。中央片１５の中心部は固定ネジ１の頭部１ａで支柱１０に固定され、屈曲片１６は支柱１０の両側に係合して動かないように保持されている。そして、他方の格子１１ｂの裏面を取付部品Ｂに押し付け、その溝部１３の内側に係止片１７を挿入させて突部１８に係止させればよい。
【００３４】
一方の格子１１ａと他方の格子１１ｂの相対する面は、図１２に示されるように、公知の手段により、Ｚ字形の連結金具１９で連結して補強するのが好ましい。
【００３５】
なお、格子１１の断面形状は上述の形態に限定されない。例えば、図１３に示されるように、矩形でもよい。また、図１４のように、断面形状の異なる格子１１を組み合わせて用いてもよい。
【００３６】
図１５及び図１６はクロス格子の形態を示す。このクロス格子１１を構成する２本の格子１１ｃ、１１ｄは支柱１０の同じ位置で互いに反対側に設けられている。この場合、図１６のように、一方の格子１１ｃは上述の要領で取付ければよい。他方の格子１１ｄを取付けるときは、固定ネジ１の頭部にＺ字形の取付部品２０の一方の片２０ａを固定する。これにより、他方の片２０ｂは支柱１０から浮くので、この他方の片２０ｂに他方の格子１１ｄの溝部１３を係止させればよい。なお、取付部品２０の上端面は円弧状に形成されている。
【００３７】
なお、図１７に示されるように、格子１１の交差部はＺ字形の連結金具２１を介して連結固定すればよい。また、支柱１０と格子１１もＬ字形の補強金具２２でしっかりと連結固定するのが好ましい。
【００３８】
なお、上述の板バネ３は、回転ネジ持ち２に回動自在に取付けられる構成に限定されない。固定ネジ１の軸部に直接に取付ける構成であってもよい。
【００３９】
なお、上述の取付部品Ａの弾性部材はいずれも板バネ３によって構成されているが、弾性部材は要するに回転ネジ持ち２が固定ネジ１の軸方向に押し付けられ、この押し付け力が解除されたときに、固定ネジ１を元の位置に押し戻す程度の弾性があればよく、板バネ３に限定されない。例えば、コイルスプリングでもよく、あるいはゴム、スポンジ等であってもよい。
【符号の説明】
【００４０】
Ａ  取付部品
１  固定ネジ
１ａ  ネジ頭部
２  回転ネジ持ち
３  板バネ
３ａ  中央部
４  ネジ穴
１０  支柱
【図１】
2010196856.tif 000003
【図２】
2010196856.tif 000004
【図３】
2010196856.tif 000005
【図４】
2010196856.tif 000006
【図５】
2010196856.tif 000007
【図６】
2010196856.tif 000008
【図７】
2010196856.tif 000009
【図８】
2010196856.tif 000010
【図９】
2010196856.tif 000011
【図１０】
2010196856.tif 000012
【図１１】
2010196856.tif 000013
【図１２】
2010196856.tif 000014
【図１３】
2010196856.tif 000015
【図１４】
2010196856.tif 000016
【図１５】
2010196856.tif 000017
【図１６】
2010196856.tif 000018
【図１７】
2010196856.tif 000019